Podtech/llm-jp-corpus-v4-ja_patent huggingface dataset:
(57)【要約】【課題】竿球、旗、旗立棒などを取り付け場所から移動させる事なく、収納又は、取り出し、飾り付ける事ができる旗立具を提供する事と、旗などが収納されたこの旗立具自体を、装飾品として見ることができる旗立具を提供する。【解決手段】基軸（１）を同心軸とした伸縮棒取り付け軸（２）をこの軸と直角に伸縮棒（３）を止める。これを旗立具本体（５）の基軸用孔に伸縮棒取り付け軸（２）の孔を合わせて基軸（１）を差し込む。すると此の基軸（１）と直角方向に伸縮棒（３）が回転する。しかし、この回転は伸縮棒取り付けネジ（４）の頭が突出しており、旗立具本体（５）の壁に当たると回転が止まり、角度が決まる様になっている。これに、竿球、旗を取り付け飾る。しまう時は、伸縮棒（３）を縮めて、旗を伸縮棒（３）の軸心に沿うように巻き付けて、伸縮棒（３）を起こして、旗立具本体（５）の中にしまい、色々とデザインされた蓋をはめると装飾品となる。【選択図】    図１
2004157491.tif 000002
【特許請求の範囲】
【請求項１】
この旗立具は、旗日などに立てられる国旗などを、その場所から移動する事なく、片付けられる旗立具であり、竿球、旗、旗立棒を箱型容器内に収納することができる事を、特徴とする旗立具である。
【発明の詳細な説明】
【０００１】
【発明の属する技術分野】
この発明は、国旗などを立てた場所から移動する事なく、収納する事ができる旗立具に関する。
【０００２】
【従来の技術】
従来の旗立具は、旗日が終わると、竿球、旗、旗立棒をバラバラにして、箱の中に入れ、部屋の押し入れなどにしまい込む事が多い。又、玄関先の壁などに取り付けられた旗立具も、旗立具を残して、竿球、旗、旗立棒をバラバラにして、箱の中に入れてしまい込む事が多く、旗立具は不自然な形で取り残されている。
【０００３】
【発明が解決しょうとする課題】
従来の技術からも分かる様に、旗日が終わると、竿球、旗、旗立棒をバラバラにしてしまい込むという煩わしさがあり、又、これとは逆に、しまい込んだ旗を何処に片付けたか分からなくなる事もある。更に、玄関先の壁に取り付けられた旗立具は、旗日が終わっても、そのまま取り付けられており、美的センスもなく不自然な物であった。
【０００４】
【発明を解決するための手段】
基軸（１）を同心軸とした伸縮棒取り付け軸（２）をこの軸と直角に伸縮棒（３）を止めるネジ（４）用バカ孔を空け、更に、伸縮棒（３）の太さと同じ程の孔を２ミリ程の深さに座ぐり、この孔に伸縮棒（３）を嵌めて、反対の孔にネジ（４）を差し込み締めて固定する。これを旗立具本体（５）の基軸用孔に伸縮棒取り付け軸（２）の孔を合わせて基軸（１）を差し込む。するとこの基軸（１）と直角方向に伸縮棒（３）が回転する。しかし、この回転は伸縮棒取り付けネジ（４）の頭が突出しており、旗立具本体（５）の壁に当たると回転が止まり、旗立具本体（５）の壁と伸縮棒（３）の開き角度が決まる。そして、伸縮棒（３）を伸ばして竿球と旗を取り付ければできあがり、しまう時は、伸縮棒（３）を縮めて旗を伸縮棒（３）の軸心に沿うように巻き付けて、伸縮棒（３）を起こして、旗立具本体（５）の中にしまい、色々とデザインされた蓋（６）を嵌めると装飾品となる。
【０００５】
【発明の実施の形態】
以下、本発明の実施例について説明する。
（イ）断面がコ字状の旗立具本体（５）の下部に基軸（１）用孔をあける。
（ロ）旗立具本体（５）の内径に合わせた長さの伸縮棒取り付け軸（２）の軸心に基軸（１）が入るよう孔をあけ、この軸心と直角に軸心に向かって伸縮棒取り付けネジ（４）用バカ孔をあけて、更に、伸縮棒（３）の太さの孔を２ミリ程の深さに座ぐりる。この孔に伸縮棒（３）を嵌め反対側のネジ孔に伸縮棒取り付けネジ（４）を差し込み締めて固定する。
（ハ）（イ）の旗立具本体（５）の下部の基軸（１）用孔に（ロ）の伸縮棒取り付け軸（２）の軸心に基軸（１）が入るようあけられた孔を合わせて、基軸（１）を差し込み取り付ける。
（ニ）伸縮棒（３）を伸ばして、この先端のネジ孔に竿球のネジを締め込み固定する。次に、旗を竿球の下から取り付け飾る。
（ホ）図２に示した旗立具本体（５）のスライド用凹溝（７）が図１に示すされた旗立具本体（５）の左右の壁の外側に加工してあり、ここに図４の蓋（６）のスライド用凸山（８）を合わせて差し込む。
（ヘ）蓋（６）には、他で製作された装飾品などが取り付くようにホック（９）が設けてあり、例えば、正月には松飾り、クリスマスにはツリーといった、図面には、記していない装飾品を飾る事ができる。
本発明は以上のような構造で、使用するときは、まず旗立具本体（５）を玄関先の壁や柱などにネジ、釘、接着剤などを使って取り付け、旗立具本体（５）の長手方向に平行に組まれた伸縮棒（３）を手前に動かなくなるまで倒して、竿球の凸ネジを伸縮棒（３）の先端の凹ネジにねじ込み締める。そして、伸縮棒（３）を伸ばして、旗を竿球の下から取り付け飾る。しまうときは、伸縮棒（３）を縮めて、この棒の軸心に沿うように旗を巻き付けて、旗立具本体（５）の長手方向と平行になるように起こして、中に収める。それから、スライド溝に合わせてデザイン化、美術化された蓋（６）をすると玄関先などの装飾品となる。
【０００６】
なお、この発明の収納式旗立具は、上記実施の形態に限定されるものではなく、旗立具本体と蓋の止め方や、組み合わせ、それぞれの形状、色合い、素材等自由に変更可能である。
【０００７】
【発明の効果】
旗を部屋の中に入れて、押し入れなどにしまうという煩わしさがなくなり、又、旗を飾りたいときに何処へしまったか分からなくなる事もない。更に、壁や柱などに取り付けられた旗立具は、デザイン化、美術化されており、装飾品として見ることができ、従来のような、旗を片付けると不自然な形の旗立具が残されることがなくなる。又、他で製作した装飾品などをとりつける事もできる。例えば、表札、松飾りなど、飾るものの選択範囲が増える。そして、音楽家にはトーン記号を、漁師には魚を、大工にはノコギリと金ずちを、と言う具合に、これらをデザインした物を取り付けて飾れば、この家は何をしている家か一目で分かる物となり、この旗立具を意識するようになり、国旗掲揚につながる。又、県旗、野球の球団旗、サッカーなどチーム旗を簡単に出し入れして、飾る事ができる。
【図面の簡単な説明】
【図１】本発明の旗立具本体の正面図である。
【図２】本発明の旗立具本体の側面図である。
【図３】本発明の蓋の正面図である。
【図４】本発明の蓋の一部切り欠いた側面図である。
【図５】本発明の旗立具の使用状態を示す斜視図である。
【符号の説明】
１  基軸
２  伸縮棒取り付け軸
３  伸縮棒
４  ネジ
５  旗立具本体
６  蓋
７  スライド用凹溝
８  スライド用凸山
９  ホック
【図１】
2004157491.tif 000003
【図２】
2004157491.tif 000004
【図３】
2004157491.tif 000005
【図４】
2004157491.tif 000006
【図５】
2004157491.tif 000007
(57)【要約】【課題】切削の負荷を数値制御装置が自動検出し、切削負荷を高速に検知して切削速度の調整を行い、工具及び、加工物への負荷を軽減し切削トルクを敷居値内に保ち、工具寿命を延ばすことを目的とする。【解決手段】ドライブコントローラからフィードバックされた切削トルクをあらかじめ記憶された正常切削時の切削トルクに自動的に保ちながら切削を行うようにする。【選択図】    図１
2004157811.tif 000002
【特許請求の範囲】
【請求項１】
工作機械用数値制御装置において、切削トルクの状態を監視し、あらかじめ記憶された実切削トルクを保つようにＮＣ加工プログラムの実行速度へフィードバックできる手段をもつことを特徴とする工作機械用数値制御装置。
【請求項２】
加工プログラムのブロック番号をキーワードとして、切削トルクの上下限値を設定できることを特徴とする請求項１に記載の工作機械用数値制御装置。
【発明の詳細な説明】
【０００１】
【発明の属する技術分野】
本発明は、数値制御装置を使用した際の切削時の切削トルク制御方法に関する。
【０００２】
【従来の技術】
図３は、従来の工作機械用数値制御装置における、ＮＣ加工プログラムの実行までの処理ブロックの例である。ここで、１は、加工プログラムである。２は、入力された加工プログラムを２次データへ変換するための解析部である。３は、２にて作成された軌跡を毎指令単位の移動量へ変換するための指令作成部である。４は、数値制御装置からの指令に基づき実際にモータを制御するドライブコントローラである。５は、ドライブコントローラから取得する切削トルクデータである。６は、切削トルクデータを記憶するための切削トルク収集部である。７は、切削トルク収集部が取得した切削トルクデータを保持するための切削トルク記憶エリアである。加工プログラムの指令は、１プログラム解析部により解析され、指令作成部が処理しやすいデータへ変換する。２指令作成部は、１から入力したデータを元に、実際の毎指令単位の移動量を作成し、ドライブコントローラへ払い出す。切削トルクデータは、ドライブコントローラより数値制御装置内へ取りこみ、切削トルク収集部が参照可能なデータとして常に更新される。切削トルク収集部は、各加工プログラム毎に実際の切削を正常に行った時の切削トルクデータを実行ブロック番号と関連させて、切削トルク記憶エリアにあらかじめ格納しておく。
切削トルク記憶エリアと、現在の切削トルクデータを切削トルク収集部が定期的に参照比較し、あらかじめ認識させておいた正常切削時の切削トルク変位に対し、あらかじめ設定された敷居値を超えた場合は工具の破損と認識し工具の交換をしていた（例えば、特許文献１参照）。
【０００３】
【特許文献１】特表平０９−５００３３１号公報
【０００４】
【発明が解決しようとする課題】
しかし、従来の技術では、記憶された切削トルク記憶エリアと、現在の切削トルクを比較し、あらかじめ記憶された切削トルク記憶エリア以上のトルクを検出した場合は、工具や、ワークに対し、何らかの問題が発生しているとの判断を行い、工具交換、または、切削の停止を行う必要があった。
そこで本発明は、切削の負荷を数値制御装置が自動検出し、切削負荷を高速に検知して切削速度の調整を行い、工具及び、加工物への負荷を軽減し切削トルクを敷居値内に保ち、工具寿命を延ばすことを目的とする。
【０００５】
【課題を解決するための手段】
本発明では上記課題を解決するためにドライブコントローラからフィードバックされた切削トルクをあらかじめ記憶された正常切削時の切削トルクに自動的に保ちながら切削を行うようにする。
【０００６】
【発明の実施の形態】
図１は、従来のＮＣ工作機械用数値制御装置における、ＮＣ加工プログラムの実行までの処理ブロックの例である。ここで、１、２、３、４、５、６、７は図３と同様の処理部である。８は、切削トルクデータを入手し、切削トルクデータを配慮したオーバライド値を計算し、指令作成部へ渡す処理部である。９は、トルク解析部への切削トルク制御用パラメータエリアである。１０は、一定時間を超えた場合の切削トルクオーバーフラグである。
図２は、トルク制御設定関連データである。ここで、１１は加工プログラムのブロック番号である。１２は、トルク下限値設定データである。１３は、トルク上限値設定データである。１４は、１２、１３で設定した上限値、下限値を連続して超えた時に数値制御装置が速度を自動調整した総時間である。切削トルク収集部は、図２の１１から１３のパラメータを設定し、１４のデータを参照できる。
本発明では、ドライブコントローラは定期的に、切削トルクデータを数値制御装置に送り、数値制御装置は、ドライブコントローラから送られた切削トルクデータを一定の間隔で入力する。
切削トルク収集部は、ドライブコントローラから入力された切削トルクデータと、あらかじめ認識させておいた正常切削時の切削トルク内から、現在の実行ブロックの対応するトルク上限値と下限値を図１の９へ設定する。数値制御装置は、入力された切削トルクデータを切削トルク下限値と切削トルク上限値で設定された値の範囲内を保持する為に、切削速度を調整するためのオーバライド値を作成する。
作成されたオーバライド値は指令作成部へ送られ、指令作成時の係数として使用され、ドライブコントローラに、位置指令として渡される。
また、数値制御装置は、切削トルク下限値と切削トルク上限値を超えたために数値制御装置が自動的に切削速度調整を行った総時間を切削トルク収集部へ伝える。切削トルク収集部では、数値制御装置が自動的に切削速度調整を行った総時間により、実際の工具の寿命を判断し、アラームを発生させ、工具、ワークに、異常があることを伝える。
この結果、切削トルクの異常な上昇を防ぎ、ワーク、工具共に急激なトルク負荷が掛かることが回避され、工具の破損を回避することが出来る。
【０００７】
【発明の効果】
以上述べたように、本発明によれば、正常時に記憶した切削トルクデータの範囲内で保つことが可能になるため、切削工具に対する負荷を抑えることができ、切削工具の交換時期を延ばすことが可能になる。
また、切削負荷の情報を高速処理し切削速度の調整を行うことにより、切削負荷が低い部分の切削速度を高速にすることができ、切削時間の短縮にも効果がある。
【図面の簡単な説明】
【図１】本発明の実行方式を示すブロック図である。
【図２】トルク制御用のパラメータである。
【図３】従来のプログラム実行のブロック図である。
【符号の説明】
１  加工プログラム
２  プログラム解析部
３  指令作成部
４  ドライブコントローラ
５  切削トルクデータ
６  切削トルク収集部
７  切削トルク記憶エリア
８  トルク解析部
９  トルク制御用パラメータ
１０  トルクオーバフラグ
１１  実行ブロック番号
１２  切削トルク制御時の下限値設定データ
１３  切削トルク制御時の上限値設定データ
１４  速度調整総時間
【図１】
2004157811.tif 000003
【図２】
2004157811.tif 000004
【図３】
2004157811.tif 000005
(57)【要約】【課題】  開口部から液体を注ぎ込みながら、開口部から目盛りも読み取ることができるメジャーカップを提供すること。【解決手段】  開口部６を有し、傾斜した底面部２を一体に形成した容器本体１と、この傾斜した底面部２に設けた開口部より読み取る目盛り３とを具備するものである。開口部４から注ぎ込む液体の流れ落ちる先を見るとともに目盛りも読み取ることができ、注ぎ込んだ液面に波が立たず、液面の縁と目盛り３とが見易いで目盛りの読み間違いと注ぎそこないを回避することができるという効果を奏する。【選択図】          図１
2004157136.tif 000002
【特許請求の範囲】
【請求項１】
開口部を有し、傾斜した底面部を一体に形成した容器本体と、該傾斜した底面部に設けた上記開口部より読み取る目盛りとを具備することを特徴とするメジャーカップ。
【請求項２】
開口部を有する容器本体の底面から上向きに突出した錐体、台形、斜めに裁断した柱体などの突出底面部を設け、その突出底面部の側面に目盛りを設けたことを特徴とするメジャーカップ。
【請求項３】
突出底面部の頂点より開口部に向けて柱体を突設したことを特徴とする請求項２に記載のメジャーカップ。
【請求項４】
傾斜底面部および突出底面部を独立突出体として一体に形成し、該独立突出体を容器本体に出し入れ可能としたことを特徴とするメジャーカップ。
【発明の詳細な説明】
【技術分野】
【０００１】
この発明は、目盛りを読み取り易くし、計量し易くしたメジャーカップに関するものである。
【背景技術】
【０００２】
従来のメジャーカップにおいては、透明な容器本体の側面に目盛りを設けている。そして、容器内に注ぎ込まれる液体の量を計るときには、側面に施してある目盛りと注いだ液面とを、容器本体の真横から見るものであった。
【特許文献１】実公昭３２−１４８９４号公報
【特許文献２】実公昭４６−６０６６号公報
【特許文献３】実開昭５２−１４４７６１号公報
【特許文献４】実公昭４４−１２１３６号公報
【特許文献５】実開昭５５−１３３３２７号公報
【発明の開示】
【発明が解決しようとする課題】
【０００３】
このように、従来のメジャーカップにおいては、液体を注ぐときに、開口部から液体を注ぎ込みながら横から目盛りを見なければならないので、必要以上に液体を入れて計り直したり、開口部の外側に液体をこぼすという問題があった。
【０００４】
さらに、容器本体を水平に保ちながら、その目盛りを読み取るために顔を容器本体の横に近ずけることは、計る人の姿勢や取り扱いにも問題があった。
【課題を解決するための手段】
【０００５】
この発明のメジャーカップは、開口部６を有し、傾斜した底面部２を一体に形成した容器本体１と、この傾斜した底面部２に設けた開口部６より読み取る目盛り３とを具備するものである。
【０００６】
また、この発明のメジャーカップは、容器本体１の底面から内部に向けて突出した錐体、台形、斜めに裁断した柱体、などの突出底面部４を設け、その突出底面部４の側面に目盛り３を設けたものである。
【発明の効果】
【０００７】
この発明のメジャーカップによると、開口部４から注ぎ込む液体の流れ落ちる先を見るとともに目盛りも読み取ることができ、注ぎ込んだ液面に波が立たず、液面の縁と目盛り３とが見易いので目盛りの読み間違いと注ぎそこないを回避することができる。
【発明を実施するための最良の形態】
【０００８】
（第１の実施の形態）
本発明のメジャーカップの第１の実施形態は、図１の断面図に示すように、容器本体１に傾斜させた傾斜底面部２を設け、この傾斜底面部２に目盛り３を設けたものである。
【０００９】
このメジャーカップに液体を注ぎ込むときには、開口部６より傾斜底面部２に沿って流し落すと、液体が溜まるにつれて、液面は傾斜底面部２の下端より次第に下の目盛り３から上の目盛り３へと移動する。この液面の移動は、開口部６から覗き見ることができ、液面と対応させて目盛り２を読み取ることができる。
【００１０】
また、液体の流れ落ちる先を傾斜面に沿わせると、液体が跳ね返ることもなく滑らかに流れるので液面に波が立たずに、開口部６から目盛り３を読み取ることができるので計量操作が容易であり、かつ正確に計量できて、測り直すこともなくなる。また、液体ばかりでなく、粉体や粒体などの計量にも適用することができる。
【００１１】
この容器本体１に同じ量の液体を注ぎ込んでも、下方においては液面の上昇量が大きく、開口部４に近づくと液面の上昇量が少なくなるので、下方の目盛りの間隔が開くから微量の液体を計る場合に好都合である。
【００１２】
（第２の実施の形態）
この発明のメジャーカップの第２の実施形態は、図２に示すように、容器本体１の底面から内側に向けて突出した錐体となる突出底面部４を設け、その錐体状の突出底面部４の側面に目盛り３を設けたものである。
【００１３】
この底面より開口部６に向けて突出する突出底面部４の形状は、円錐や角錐などの錐体のほかに台形、柱体を斜めに裁断したものなどの形状であり、それらの側面を凹状や凸状の曲面にしたり、階段状にしてもよいのである。
【００１４】
そして、この突出底面部４の最上部に凹部７を設けておくと微量の液体を計ることがでる。また、図３の断面図に示すように、頂点から棒状、板状、筒状などの柱体８を開口部６に向けて設けてもよいのである。
【００１５】
図３の断面図に示すように、この柱体８を筒状にすると、逆さまにして底下空間部９より液体を注ぐことにより漏斗としても使用することができる。
【００１６】
（第３の実施の形態）
この発明のメジャーカップの第３の実施形態は、図４の斜視図に示すように、目盛り３を設けた傾斜底面部２および突出底面部４よりなる独立突出体５を一体に形成し、柱体８を摘まんで、この独立突出体５を容器本体１の中に入れることにより、計量に使用することができ、独立突出体５を容器本体１かた取り出すことにより、容器本体１を単なる容器として使用することができる。この容器本体１の側面に、従来のメジャーカップと同様に目盛り３を設けておくと、容器本体１のみでメジャーカップとして使用できる。
【図面の簡単な説明】
【００１７】
【図１】本発明のメジャーカップの実施の形態を示す縦断面図、
【図２】この発明のメジャーカップの実施の形態を示す縦断面図、
【図３】この発明のメジャーカップの他の実施の形態で用いる独立突出体を示す斜視図、
【図４】この発明の他の実施の形態における突出底面部に筒状柱体を設けたをメジャーカップを示す縦断面図である。
【符号の説明】
【００１８】
１  容器本体
２  傾斜底面部
３  目盛り
４  突出底面部
５  独立突出体
６  開口部
７  凹部
８  柱体
９  底下空間部
【図１】
2004157136.tif 000003
【図２】
2004157136.tif 000004
【図３】
2004157136.tif 000005
【図４】
2004157136.tif 000006
(57)【要約】      （修正有）【課題】１種類のつまみで対応する多くの機能を表示できるキートップの表示構造を提供する。【解決手段】パネル５の背後に配置された表示器６の所定位置に表示される文字または画像から放射される光が、鏡面５ａとプリズムを構成しているつまみ８の鏡面部８ａによりキートップ７の表面に導かれる。表示器６の所定位置に表示された文字または画像をキートップ７の表面に導く光路５ａ、８ａを設けたことにより、キートップの表示を変えるためにつまみを入れ替える必要がなくなる。【選択図】        図１
2004335323.tif 000002
【特許請求の範囲】
【請求項１】
表示器の所定位置に表示された文字または画像をキートップの表面に導く光路を備えたことを特徴とするキートップの表示構造。
【請求項２】
表示器の所定位置から放射される光を反射する鏡面をパネルに設け、前記鏡面から反射された光をキートップ表面に導くプリズムをキートップに設けた請求項１のキートップの表示構造。
【発明の詳細な説明】
【０００１】
【発明の属する技術分野】
この発明はキートップ表面にキートップの機能等を表示するキートップの表示構造に関する。
【０００２】
【従来の技術】
実開平５−１１２４１号公報に開示されたキートップの表示構造の例を図２〜図４により説明する。パネル１にはゴム等で形成したキートップ２が取り付けられている。キートップ２の中央部に嵌合部２ａが設けられており、この嵌合部２ａのつまみ挿入口にはつまみを係合する突出部２ｂが形成されている。
【０００３】
つまみ３はキートップ２の嵌合部２ａに嵌め込まれる。つまみ３の上下には凹部３ａが形成されており、前面にはキー操作機能を表した表示部３ｂが形成されている。使用者は表示部３ｂを見てキー操作をすることができる。
【０００４】
機器の仕様変更または仕向け先変更等に伴いキートップの表示を変更する場合は表示部３ｂを備えたつまみ３のみを図４に示すように工具４をキートップ２とつまみ３の間に差し込み、つまみ３の凹部３ａに工具４を係止させてつまみ３を抜き取り、つまみ３を入れ替える。
【０００５】
【特許文献１】
実開平５−１１２４１号公報（第６−７頁、図１〜図３）
【０００６】
【発明が解決しようとする課題】
上記した従来のキートップの表示構造では、つまみ前面に表示される機能に夫々対応したつまみを備えなければならず、部品点数が多くなるという問題があった。また、つまみを入れ替えるのに手間が掛かるという問題があった。
【０００７】
さらに、使用モードに応じてキートップの機能が変わる場合に、その機能を自動的に表示することができなかった。
【０００８】
この発明は上記した点に鑑みてなされたものであって、その目的とするところは、１種類のつまみで対応する多くの機能を表示できるキートップの表示構造を提供することにある。
【０００９】
この発明の他の目的は使用モードの変更に伴いキートップの機能が変わる場合にその機能を自動的に表示することができるキートップの表示構造を提供することである。
【００１０】
【課題を解決するための手段】
この発明のキートップの表示構造は、表示器の所定位置に表示された文字または画像をキートップの表面に導く光路を備えたことものである。
【００１１】
また、前記キートップの表示構造において、表示器の所定位置から放射される光を反射する鏡面をパネルに設け、前記鏡面から反射された光をキートップ表面に導くプリズムをキートップに設けたものである。
【００１２】
【発明の実施の形態】
この発明の実施例であるキートップの表示構造を図面に基づいて説明する。図１はこの発明の実施例であるキートップの表示構造をパネル５、キートップ７およびつまみ８の一部を切り取って示す斜視図である。
【００１３】
図に示すパネル５の背後に配置された表示器６は機器の使用状態を表示する表示器であり、その所定の表示部分につまみ８の前面に写し出される文字（ＭＯＮ）が表示される。パネル５の上記文字表示部分と対向する傾斜面には鏡面部５ａが形成されている。キートップ７には導光体からなり鏡面部８ａを備えたつまみ８が嵌着されている。つまみ８はプリズムを構成している。
【００１４】
表示器６の文字表示部分に写し出された文字（ＭＯＮ）はパネル５の鏡面部５ａおよびつまみ８の鏡面部８ａで反射されて表示されつまみ８の前面に写し出される。機種が変わるとき、または、使用モードが変わるとき表示器６の文字表示部分に表示する文字または画像をソフトウエアで変えればよく、つまみを取り替える必要がない。
【００１５】
【発明の効果】
この発明のキートップの表示構造によれば、キー操作機能の表示をソフトウエアで変更可能な表示器の表示により行うため、表示を変えるためにつまみを入れ替える必要がない。そして、使用状態を表示する表示器の一部を利用するため、製造コストが高くなることもない。
【図面の簡単な説明】
【図１】この発明の実施例であるキートップの表示構造を一部断面として示す斜視図である。
【図２】従来のキートップの表示構造の例を示す分解斜視図である。
【図３】同キートップの表示構造を示す断面図である。
【図４】同キートップの表示構造を示す斜視図である。
【符号の説明】
１  パネル
２  キートップ、２ａ  嵌合部、２ｂ  突出部
３  つまみ、３ａ  凹部、３ｂ  表示部
４  工具
５  パネル、５ａ  鏡面部
６  表示器
７  キートップ
８  つまみ、８ａ  鏡面部
【図１】
2004335323.tif 000003
【図２】
2004335323.tif 000004
【図３】
2004335323.tif 000005
【図４】
2004335323.tif 000006
(57)【要約】【課題】光源部（ＬＤホルダ）の振動を押さえることにとって、より良好な画像品質を確保できる書き込み光学装置を提供する。【解決手段】レーザービームを偏向走査する書き込み光学装置において、光源であるＬＤを内蔵するＬＤホルダ１を押圧力調整可能に保持する押圧保持機構６を設けた。【選択図】        図２
2004335586.tif 000002
【特許請求の範囲】
【請求項１】
レーザービームを偏向走査する書き込み光学装置において、光源であるＬＤを内蔵するＬＤホルダを押圧力調整可能に保持する押圧保持機構を設けたことを特徴とする書き込み光学装置。
【請求項２】
請求項１において、押圧保持機構は上下から同等の押圧力にてＬＤホルダを保持することを特徴とする書き込み光学装置。
【請求項３】
請求項１において、押圧保持機構は保持高さを調整可能であることを特徴とする書き込み光学装置。
【発明の詳細な説明】
【０００１】
【発明の属する技術分野】
本発明は、レーザービームを偏向走査する書き込み光学装置に関する。
【０００２】
【従来の技術】
レーザービームを偏向走査する書き込み光学装置に関連して、例えば、特許文献１には、光書き込みユニットを底板にネジで固定するに際し、側板間距離の１／４より側板寄りの位置に固定することによって、両持ち梁形状の底板の中央部振動による画質劣化を防止する技術が示されている。
【０００３】
【特許文献１】
特開２０００−２８９４９号公報
【０００４】
【発明が解決しようとする課題】
書き込み光学装置を装置本体の書き込み底板に固定する方式の場合、底板と書き込み光学装置の概略４隅にて固定することとなるが、装置本体の振動（振幅）がハウジングに伝わり、画像劣化の元になってしまう。
【０００５】
特許文献１のように書き込み底板へ固定する箇所を増やすことで対応することも可能ではあるが、固定箇所は本数、箇所ともレイアウト上の制限があるため振動低減効果は限定されてしまう。
【０００６】
本発明は、光源部（ＬＤホルダ）の振動を押さえることにとって、より良好な画像品質を確保できる書き込み光学装置を提供することを目的とする。
【０００７】
【課題を解決するための手段】
上記目的を達成するために、請求項１記載の発明は、レーザービームを偏向走査する書き込み光学装置において、光源であるＬＤを内蔵するＬＤホルダを押圧力調整可能に保持する押圧保持機構を設けた書き込み光学装置を最も主要な特徴とする。
【０００８】
請求項２記載の発明は、請求項１において、押圧保持機構は上下から同等の押圧力にてＬＤホルダを保持する書き込み光学装置を主要な特徴とする。
【０００９】
請求項３記載の発明は、請求項１において、押圧保持機構は保持高さを調整可能である書き込み光学装置を主要な特徴とする。
【００１０】
【発明の実施の形態】
以下、本発明の実施の形態を図面に従って説明する。
図１は本発明の第１の実施の形態に係る書き込み光学装置の正面図、図２は同、右側面図であり、押圧保持機構の第１の例を示す図である。光源であるＬＤを複数個内蔵したＬＤホルダ１がブラケット２を介してここでは不図示の押圧・捻りコイルバネによって書き込みハウジング３に押圧保持されている。
【００１１】
ＬＤホルダ１にはＬＤの走査ピッチを調整するための腕部４が設けられており、腕部４には調整ネジ５が当接しており、調整ネジ５を回転させることによってＬＤホルダ１を回転させ、ＬＤの走査ピッチを調整している。ＬＤホルダ１は前記不図示の押圧・捻りコイルバネによって調整ネジ５へ押圧されている。
【００１２】
押圧保持機構６は書き込み底板７に固定され、ＬＤホルダ１を押圧保持してＬＤホルダ１の振動を抑制するもので、その押圧力は押圧保持機構６に設けられている押圧力調整ネジ８（図２）を回転調整することにより調整可能となっている。押圧力調整ネジ８を回転するに従って押圧保持機構６の押圧部は回転中心軸を中心にしてシーソーのように動くことでＬＤホルダ１に圧力を加えることができる。
【００１３】
図３は押圧保持機構の第２の例を示す図である。押圧保持機構６は、ＬＤホルダ１（のＬＤ駆動基板取り付け脚部）を挟み込むように上下から均等な押圧力でＬＤホルダ１を保持するようになっている。従って押圧力を加えることによってＬＤホルダ１の保持姿勢を変えて（傾けて）しまうことがない。
【００１４】
図４は押圧保持機構の第３の例を示す正面図、図５は同、側面図である。押圧保持機構６には保持する高さを調整するための高さ調整機構が設けられており、保持高さを必要な高さに変更することができる。
【００１５】
押圧保持機構６は固定部１０と移動部１１と移動部１１に回転可能に保持されている押圧部とで構成され、固定部１０には高さ調整用の長穴１２が設けられており、ネジ１３を緩めることにより移動部１１は長穴１２の範囲内で移動可能となり、高さを調整した後、再度ネジ１３を締めて固定することにより、押圧力を変えることなく固定高さを調整することができる。
【００１６】
【発明の効果】
請求項１の書き込み光学装置においては、レーザービームを偏向走査する書き込み光学装置において、光源であるＬＤを内蔵するＬＤホルダを押圧力調整可能に保持する押圧保持機構を設けたので、部品誤差等による機械差のある振動レベルに対応することが可能となり、光源部の振動を効果的に低減して良好な画像品質を保証することができる。
【００１７】
請求項２の書き込み光学装置においては、押圧保持機構は上下から同等の押圧力にてＬＤホルダを保持するので、ＬＤホルダに押圧力をかける方向への力が加わることによる保持姿勢の変化（ＬＤホルダの傾き）が発生するのを防止することができる。
【００１８】
請求項３の書き込み光学装置においては、押圧保持機構は保持高さを調整可能であるので、汎用性が高まる。
【図面の簡単な説明】
【図１】本発明の第１の実施の形態に係る書き込み光学装置の正面図である。
【図２】同、右側面図であり、押圧保持機構の第１の例を示す図である。
【図３】押圧保持機構の第２の例を示す図である。
【図４】押圧保持機構の第３の例を示す正面図である。
【図５】同、側面図である。
【符号の説明】
１  ＬＤホルダ
２  ブラケット
３  ハウジング
６  押圧保持機構
７  書き込み底板
８  押圧力調整ネジ
【図１】
2004335586.tif 000003
【図２】
2004335586.tif 000004
【図３】
2004335586.tif 000005
【図４】
2004335586.tif 000006
【図５】
2004335586.tif 000007
(57)【要約】【課題】自照キーユニットを有する機器において、キートップを低コストで満足できる明るさにする。【解決手段】キートップ１１に下面が開口した中空部１５または上面が開口した中空部１６を形成したので、発光体１４からの光の減衰を抑え、コストアップなしにキートップ１１の明るさを確保することができる。【選択図】        図１
2004335175.tif 000002
【特許請求の範囲】
【請求項１】
キートップの下方に発光体を有する自照キーユニットにおいて、キートップに中空部を形成したことを特徴とする自照キーユニット。
【請求項２】
中空部は下面が開口した形状であることを特徴とする請求項１記載の自照キーユニット。
【請求項３】
中空部は上面が開口した形状であることを特徴とする請求項１記載の自照キーユニット。
【請求項４】
請求項１記載の自照キーユニットを操作部に有することを特徴とする自照キーユニットを有する機器。
【発明の詳細な説明】
【０００１】
【発明の属する技術分野】
本発明は、キートップの下方に発光体を有する自照キーユニット及び自照キーユニットを有する機器（画像形成装置、パソコン等）に関するものである。
【０００２】
【従来の技術】
図２は、従来の画像形成装置の外観斜視図である。装置本体１の手前面には操作部２が配置されている。
【０００３】
図３は従来例に係る自照キーユニットの断面図である。自照キーユニット１０は、図２の操作部２に配置されるものであり、ラバー製の複数のキートップ１１、プリント基板１２、外装カバー１３を有しており、キートップ１１の下方にあってプリント基板１２上には発光体（ＬＥＤなど）１４が搭載されている。キートップ１１の上面は外装カバー１３より外方に突出しており、キートップ１１は上下に移動可能になっている。
【０００４】
また、類似の技術として、表示エリアや記録エリアに十分なスペースを取れないときでも、短縮ダイヤルキーに登録されている送信先を容易に判別できるようにする特許文献１の「通信装置」が知られている。
【０００５】
【特許文献１】
特開平１０−１７３７５７号公報
【０００６】
【発明が解決しようとする課題】
自照キーユニット１０はキートップ１１が光ってオン、オフを示すものであり、その利便性から近年多用されているが、キートップ１１の下方に発光体１４が配置される構造上、明るさが満足できるレベルにないことが多い。一般的には発光体１４を高輝度化するなどの対策が講じられるが、その場合、高コスト化を免れない。
【０００７】
本発明は、低コストでキートップを満足できる明るさにすることを目的とする。
【０００８】
【課題を解決するための手段】
上記目的を達成するために、請求項１記載の発明では、キートップの下方に発光体を有する自照キーユニットにおいて、キートップに中空部を形成した自照キーユニットを最も主要な特徴とする。
【０００９】
請求項２記載の発明では、中空部は下面が開口した形状である請求項１記載の自照キーユニットを主要な特徴とする。
【００１０】
請求項３記載の発明では、中空部は上面が開口した形状である請求項１記載の自照キーユニットを主要な特徴とする。
【００１１】
請求項４記載の発明では、請求項１記載の自照キーユニットを操作部に有することを特徴とする自照キーユニットを有する機器を最も主要な特徴とする。
【００１２】
【発明の実施の形態】
以下、図面により本発明の実施の形態を詳細に説明する。
図１は本発明の実施の形態に係る自照キーユニットの断面図である。自照キーユニット１０は、図２の操作部２に配置されるものであり、ラバー製の複数のキートップ１１、プリント基板１２、外装カバー１３を有しており、キートップ１１の下方にあってプリント基板１２上には発光体（ＬＥＤなど）１４が搭載されている。キートップ１１の上面は外装カバー１３より外方に突出しており、キートップ１１は上下に移動可能になっている。
【００１３】
そして本実施の形態に係る自照キーユニット１０は、キートップ１１に下面が開口した中空部１５または上面が開口した中空部１６を形成し、ラバー部分の薄くすることにより、発光体１４からの光の減衰を抑え、コストアップなしにキートップ１１の明るさを確保するものである。尚、中空部は透孔としてもよい。
【００１４】
【発明の効果】
以上説明したように、本発明によれば、キートップに下面が開口した中空部または上面が開口した中空部を形成したので、発光体からの光の減衰を抑え、コストアップなしにキートップの明るさを確保することができる。
【図面の簡単な説明】
【図１】本発明の実施の形態に係る自照キーユニットの断面図である。
【図２】画像形成装置の外観斜視図である。
【図３】従来例に係る自照キーユニットの断面図である。
【符号の説明】
１０  自照キーユニット
１１  キートップ
１２  プリント基板
１３  外装カバー
１４  発光体
１５、１６  中空部
【図１】
2004335175.tif 000003
【図２】
2004335175.tif 000004
【図３】
2004335175.tif 000005
(57)【要約】【課題】高照度、高輝度、小型の、面状光源により、野外撮影等に用いる携帯性、機動性に優れた補助照明装置、及びこれをバックライトとした高輝度液晶画面表示装置を提供する。【解決手段】上記目的を達成するため、本発明は、反射板（１）の前に多数本の冷陰極線管（２）を配列し、ＰＭＷインバーターにより高輝度に発光させ、これを光源として散光板（３）を配置した面状照明装置とし、さらに、散光板に換えて多数枚の種類の異なる偏光フィルター（４）を重層配置し，これをバックライトとして使用し、高輝度液晶画像表示装置とする。【選択図】図１
2004335168.tif 000002
【特許請求の範囲】
【請求項１】
反射板（１）の前に多数本の冷陰極線管（２）を配列し、ＰＭＷインバーターにより高輝度に発光させる面状光源の前面に、散光板（３）を配置した面状照明装置。
【請求項２】
請求項１の面状照明装置において、散光板（３）の前面に多数枚の効果の異なる偏光フィルター（４）を重層配置し、これをバックライトとして使用した高輝度液晶表示装置。
【発明の詳細な説明】
【０００１】
【発明の属する技術分野】
本発明は、面状光源を用いる照明装置及びこれをバックライトとした液晶画像表示装置に関するものである。
【０００２】
【従来の技術】
従来、映画、テレビ等の撮影時に被写体の影などを消すため補助的に使用する照明装置としては白熱灯、ゼノン管など点光源ライトを用い散光フィルターを透過させたり、光源を焦点付近に前後逆において傘型の反射装置で面照射に変換するもの等がある。
【０００３】
また、画像表示装置は、ＣＲＴモニターから液晶モニターへの転換が進んでいるが、映画のロケ等野外の明るい環境下で使用する画像表示装置としては、従来技術の液晶画面表示装置は画面の明るさと視野角が不足しているため、現状はＣＲＴモニターが主流である。
【０００４】
【発明が解決しようとする課題】
従来、映画、テレビ等の撮影時に使用する補助照明装置は、拡散フィルターで散光する方式のライトは、小型で、持ち運びしやすく高照度だが、照射面が狭く、放射状に照射されるため、影を消す範囲が狭い。また傘型反射板を使用する方式のものは、平行面状に照射され、照射範囲も広く、影を消す範囲は広いが照度が十分でなく、装置も大きく持ち運びに不便である。
【０００５】
請求項２の発明は、高照度で、照射面積、影を消す範囲も広くかつ小型で携帯性、操作性に優れた面状照明装置を提供するものである。
【０００６】
従来、野外用の小型モニターの主流であるＣＲＴモニターは、画面の明るさ、視野角は大きいが、画面の大きさに比べて装置全体が大きくて重くなり、持ち運びが不便である。また使用電圧は１００Ｖで消費電力も大きいので、小型電池での作動は困難である。また、画面の明るさも十分とはいえない。
【０００７】
一方、従来の液晶モニターは、ＣＲＴモニターに比べて同じ大きさの画面でも装置全体小型で、軽くて、消費電力も少ないが、画面の明るさが不足して遮光フードを使用しても野外晴天下等では画面の明るさが不十分で見難く、しかも、視野角が狭く中心から左右にずれた位置からだと，ほとんど見えず、結局正面の一人と左右の計３人ほどしか見ることができない。
【０００８】
請求項２の発明は、液晶画像表示装置の画面を明るくし、さらに左右の視野を広げて、野外晴天下等の環境でも、遮光フードなしで、しかも大勢で見られる携帯性にも優れた液晶画像表示装置を提供することを目的としている。
【０００９】
【問題を解決するための手段】
上記目的を達成するため、本発明は、反射板（１）の前に多数本の冷陰極線管（１）を面状に配列し、ＰＭＷインバーターにより高輝度に発光させ、配列した陰極線管の前面に散光板（３）を配置した面状照明装置とし、
【００１０】
さらに、拡散板に換えて多数枚の種類の異なる偏光フィルター（４）を重層配置し，これをバックライトとして使用し、高輝度液晶画像表示装置とする。
【００１１】
【発明の実施の形態】
光源として、多数本の冷陰極管を面状に配列、背後に反射板を配置し、基本光源とする。
【００１２】
冷陰極管を高輝度に点灯させるため高効率のＰＭＷインバーターを使用する。
【００１３】
面状照明装置は、配列された冷陰極管の前面に、散光，調光のための散光板、及び所要の偏光フィルターを重設する。
【００１４】
液晶画面表示装置としては、散光板の前面に効果の異なる多数枚の偏光フィルターを重層しバックライトとする。
【００１５】
以上で構成された面状照明装置及び高輝度液晶表示装置をコンパクトに設し、さらに取っ手、ベルト等を取り付け、さらに電源コード、予備電池等とともに収納する携行するケースを用い、携帯性、機動性を向上させる。
【００１６】
また上記、携行用ケースは、液晶画面がケースに収納したままでも、モニターが見られるように、蓋に、液晶表示画面大の窓状の蓋を設けるとともに、雨天でも、使用できるように、防水カバーを装備すること等により携帯性、機動性を向上させることができる。
【００１７】
【発明の効果】
本発明の面状照明装置は、撮影等に置ける補助照明装置として明るく、照射範囲が広く、影を消す効果がおおきい。また小型、軽量で軽易に使用でき、携帯性も向上した。
【００１８】
高輝度液晶表示装置は、野外晴天時の環境下においても，遮光フード無しで画面がはっきりと見え、しかも広角度（ほぼ真横から）でも見ることができるので、多人数で同時に画像を見ることができる。
【００１９】
作動電圧は直流１２Ｖで消費電力も少ないので、１００Ｖ電源がなくても、市販の小型のバッテリーで実用上必要な時間使用できる。
【００２０】
高輝度液晶画面表示装置は、従来のＣＲＴモニターに比べ、同じ大きさの画面のものでも装置全体を小型で軽量にでき、携帯性、機動性が向上した。
【図面の簡単な説明】
【図１】面状照明装置の概断面構造図
【図２】液晶画像表示装置の概断面構造図
【符号の説明】
１  冷陰極管
２  反射板
３  散光板
４  偏光フィルター
５  液晶画像表示板
６  ＰＭＷインバーター
７  電源
【図１】
2004335168.tif 000003
【図２】
2004335168.tif 000004
(57)【要約】【課題】実装基板に関し、製造が簡単で、かつ、はんだ付け操作時の部品のずれによる短絡等を確実に防止し、部品の実装の信頼性を向上させることを目的とする。【解決手段】電子部品１の端子１ａをはんだ付けするフットプリント２の表面をはんだ濡れ性の悪い材料により形成された仕切壁３により区画して構成する。【選択図】  図１
2004335683.tif 000002
【特許請求の範囲】
【請求項１】
電子部品の端子をはんだ付けするフットプリントの表面をはんだ濡れ性の悪い材料により形成された仕切壁により区画した実装基板。
【請求項２】
前記仕切壁は、フットプリント表面に膜形成される請求項１記載の実装基板。
【請求項３】
前記仕切壁がソルダレジストである請求項１または２記載の実装基板。
【発明の詳細な説明】
【０００１】
【発明の属する技術分野】
本発明は、実装基板に関するものである。
【０００２】
【従来の技術】
一般に電子部品の実装基板への実装にははんだ付けが利用され、表面実装部品に対するはんだ付けは、実装基板上に形成されたフットプリントを利用して行われる。このフットプリントを利用した表面実装において、はんだ溶融状態においては、スルーホール実装のように、部品の機械的移動防止手段がないために、通常、はんだの表面張力を使用したセルフアライメントによる位置決めが行われる。
【０００３】
一方、近時、より一層の部品の高密度実装化に伴って部品間の間隔も狭くなっており、はんだ溶融状態における部品の積極的な固定手段を有しない従来の方法においては、溶融状態で移動した位置ではんだが固化し、隣接する他の部品に接触して短絡等の原因になるおそれがある。
【０００４】
これを解決するためには、例えば、特許文献１に記載されるように、フットプリントを分割形成することも可能であるが、この場合には、実装基板の製造に手間がかかる上に、各分割フットプリントを同一のヴィアホールに連結するためには大径のヴィアホールが必要になる等欠点がある。
【０００５】
【特許文献１】
特開平１０−７５０４２号公報
【０００６】
【発明が解決しようとする課題】
本発明は、以上の欠点を解消すべくなされたものであって、製造が簡単で、かつ、はんだ付け操作時の部品のずれによる短絡等を確実に防止し、部品の実装の信頼性を向上させた実装基板の提供を目的とする。
【０００７】
【課題を解決するための手段】
本発明において、電子部品１の端子１ａをはんだ付けするフットプリント２の表面には適数の仕切壁３が設けられ、フットプリント２上が複数に区画される。
【０００８】
フットプリント２上に溶融はんだを供給した状態で該溶融はんだははんだ濡れ性の悪い仕切壁３により分断されてフットプリント２上に散点状に配置される。この状態から電子部品１の端子１ａを載せると、溶融はんだは電子部品１の端子１ａに点接触状態で接触するために、フットプリント２と端子１ａとの間に所定の厚みを有する溶融はんだ層が全面に渡って介在することが防止される。
【０００９】
この結果、連続した溶融はんだ層が所定の厚さで存在することによる部品への水平方向の移動力の発生が効率的に規制されるために、部品がずれて互いに短絡することが防止される。
【００１０】
仕切壁３の材料は、はんだ濡れ性が悪い材料であれば種々のものが使用できるが、ソルダレジストを利用して膜形成すると、実装基板の製造効率を低下させることがない。
【００１１】
【発明の実施の形態】
図１に示すように、実装基板Ａは適宜のコア材４の表面に例えば銅箔製のフットプリント２を配置して形成される。また、フットプリント２の周縁には、はんだブリッジ等を防止するために、ソルダレジスト層５が形成される。
【００１２】
上記フットプリント２の上面には、仕切壁３が形成される。仕切壁３は、はんだ濡れ性の悪い材料に形成される。この実施の形態において、仕切壁３の材料には、ソルダレジストが使用され、上記ソルダレジスト層５の形成工程と同時に形成される。
【００１３】
この仕切壁３は、図１に示すように、フットプリント２上面に格子状に形成され、仕切壁３の形成によりフットプリント２上面は、複数の正方形状の領域に区画される。
【００１４】
一方、この実施の形態において、電子部品１は、パッケージ１ｂの端部にプレート状の端子１ａを備えており、上記実装基板Ａのフットプリント２上にはんだ６を使用して表面実装される。
【００１５】
はんだ付けに際して、先ず、フットプリント２上に形成された矩形の領域にクリームはんだをスクリーン印刷等により供給し、次いで、その上に電子部品１を搭載する。この後、供給されたクリームはんだをリフロー炉内で溶融すると、溶融はんだは図２に示すように、仕切壁３により排斥されて隣接する矩形領域間での流動が妨げられる。
【００１６】
この結果、電子部品１は矩形領域内の溶融はんだにより点支持された状態となり、横方向への移動力が可及的に小さくなる。
【００１７】
なお、以上の説明においては、仕切壁３によりフットプリント２上面を碁盤の目状に区画する場合を示したが、フットプリント２露出面が、非連続状態の複数が存在することを条件に形状、数量等は適宜決定される。
【００１８】
【発明の実施の形態】
以上の説明から明らかなように、本発明によれば、製造が簡単で、かつ、はんだ付け操作時の部品のずれによる短絡等を確実に防止し、部品の実装の信頼性を向上させることができる。
【図面の簡単な説明】
【図１】本発明示す図で、（ａ）はフットプリントの平面図、（ｂ）は（ａ）の１Ｂ−１Ｂ線断面図である。
【図２】電子部品を実装した状態を示す図で、（ａ）は側面図、（ｂ）は（ａ）の２Ｂ方向矢視図である。
【符号の説明】
１        電子部品
１ａ      端子
２        フットプリント
３        仕切壁
Ａ        実装基板
【図１】
2004335683.tif 000003
【図２】
2004335683.tif 000004